(57)【要約】【課題】無線ＬＡＮを介して無線プロジェクタに接続する無線プロジェクタ対応周辺機器システムにおいて、実物撮像装置に表示部を設けることなく、簡単なボタンとＬＥＤの発光情報のみで所望の無線プロジェクタとの接続を確立する機能を備えた無線プロジェクタ対応周辺機器システムを提供することを目的とする。【解決手段】実物撮像装置１は、検索ボタン５０により無線プロジェクタ固有のＳＳＩＤを有する無線機器の検索を行い、検索された無線プロジェクタ２に対しその使用状態を検出し、その検出結果をＬＥＤ６０の発光色により表示し、その発光色情報から使用者が選択ボタン５１を押下し、所望の無線プロジェクタ２との接続を確立する。【選択図】図１
2008271265.tif 000002
【特許請求の範囲】
【請求項１】
表示部を有さない無線機能を搭載した実物撮像装置と、前記実物撮像装置により撮像された画像データを任意の無線ネットワーク網を介して拡大投射する無線プロジェクタとから構成されるシステムにおいて、
前記実物撮像装置は、
任意の対象物を撮像する撮像手段と、前記撮像手段により撮像された画像データを任意のフォーマットに圧縮する画像圧縮手段と、前記画像圧縮手段により圧縮された画像データを任意の無線ネットワーク網を介して前記無線プロジェクタに送信する第一の通信手段と、第一の通信手段に対し前記無線プロジェクタとの接続を確立するための制御を行う第一の制御手段とから構成され、
前記無線プロジェクタは、
前記実物撮像装置から任意の無線ネットワーク網を介して送信された画像データを受信する第二の通信手段と、第二の通信手段により受信された画像データを任意のフォーマットに伸張する画像伸張手段と、前記画像伸張手段から出力された画像データを拡大投射する表示手段と、前記実物撮像装置との接続を確立するために無線プロジェクタ固有のＳＳＩＤを有すると共に第二の通信手段を制御する第二の制御手段とから構成され、
前記第一の制御手段は、
所望の無線プロジェクタを検索する際に、検索ボタンを押されたことを検知した後に、任意の無線チャンネル内に前記無線プロジェクタ固有のＳＳＩＤを有する無線機器の検索を行い、所望の無線プロジェクタが存在した場合に前記第二の通信手段を介して前記第二の制御手段に問い合わせ、前記無線プロジェクタの使用状態を検出し、その検出結果を前記実物撮像装置に設けられた発光素子の発光色または発光数により使用者に知らしめることを特徴とする無線プロジェクタ対応周辺機器システム。
【請求項２】
第一の制御手段は、
検索された無線プロジェクタを他使用者が使用していた場合、同一チャンネル内に存在する他の無線プロジェクタを検索することを特徴とする請求項１記載の無線プロジェクタ対応周辺機器システム。
【請求項３】
第一の制御手段は、
検索されたチャンネル内に所望のプロジェクタが存在しない場合、他のチャンネルに切り替えて再度無線プロジェクタを検索することを特徴とする請求項１記載の無線プロジェクタ対応周辺機器システム。
【請求項４】
第一の制御手段は、
未使用状態の無線プロジェクタを検索し発光素子にてその状態を表示した後に、選択ボタンを使用者から押された事を検知した場合、所定の画像データを投射するための命令を前記無線プロジェクタに送信することを特徴とする請求項１から請求項３のいずれかに記載の無線プロジェクタ対応周辺機器システム。
【請求項５】
第二の制御手段は、
検索された無線プロジェクタを他使用者が使用中の場合、実物撮像装置から送信された所定の画像データを投射するための命令を受信しても、前記所定の画像データを投射しないことを特徴とする請求項４記載の無線プロジェクタ対応周辺機器システム。
【請求項６】
第二の制御手段は、
無線プロジェクタに任意のパスワードが設定されていた場合、第一の制御手段から接続要求を受信したときに、そのパスワード画面または文字入力のためのソフトウェアキーボード画面を前記無線プロジェクタから投射することを特徴とする請求項１から請求項５のいずれかに記載の無線プロジェクタ対応周辺機器システム。
【請求項７】
第一の制御手段は、
無線プロジェクタの接続情報が格納された記憶媒体が実物撮像装置に挿入されていることを検出した場合、任意の無線プロジェクタを検索せずに、前記記憶媒体に格納された情報と合致した固有情報を有する無線プロジェクタのみを検索し、その検索結果を発光素子の発光色または発光数にて表示することを特徴とする請求項１から請求項５のいずれかに記載の無線プロジェクタ対応周辺機器システム。
【発明の詳細な説明】
【技術分野】
【０００１】
本発明は、無線ＬＡＮを介して接続された実物撮像装置とプロジェクタにおいて、実物撮像装置から任意の画像データをプロジェクタへ転送し投射する無線プロジェクタ対応周辺機器システムに関するものである。
【背景技術】
【０００２】
近年、ＲＧＢケーブルを使用せずに、ネットワーク網（特に無線ＬＡＮ）を介してパソコン上に表示された画像を無線ＬＡＮ機能搭載のプロジェクタに転送し投射する無線プロジェクタ対応周辺機器システムが急速に広まっている。
【０００３】
以下に従来の無線プロジェクタ対応周辺機器システムについて説明する。
【０００４】
従来、無線プロジェクタ対応周辺機器システムは、特許文献１に記載されたものが知られている。そのシステムの構成図を図１０に示す。
【０００５】
図１０において、１００はパソコンに代表される画像信号装置、２００は無線ＬＡＮ機能搭載のプロジェクタ、３００は任意の無線ネットワーク網、４００はプロジェクタ２００から拡大投射された画像を投影するスクリーンである。
【０００６】
以上のように構成された従来の無線プロジェクタ対応周辺機器システムについて説明する。
【０００７】
画像信号装置１００は、複数台の無線プロジェクタが存在している中、無線ネットワーク網３００を使用して接続可能な無線プロジェクタを検索し、その検索結果を画像信号装置１００の表示部１１０上に接続可能プロジェクタリスト１１１として表示する。
【０００８】
使用者は、その接続可能プロジェクタリスト１１１の中から「プロジェクタ１」を選択し、「プロジェクタ１」に対応する所望の無線プロジェクタ２００を選択することにより、画像信号装置１００と無線プロジェクタ２００との間の接続を確立する。
【特許文献１】特開２００５−２０８８２３号公報（段落番号「００３５」）
【発明の開示】
【発明が解決しようとする課題】
【０００９】
しかしながら上記従来の構成では、無線プロジェクタに接続する機器として、表示部を有していない書画カメラに代表される実物撮像装置を使用した場合、前述のような接続可能プロジェクタリストを表示させる手段が無く、無線プロジェクタを選択することができないため、使用者は、所望の無線プロジェクタに接続できないという課題を有していた。
【００１０】
また、上記課題を解決するために、表示部を実物撮像装置に設ける方法が考えられるが、コストの大幅な上昇並びに実物撮像装置のデザイン設計に制約ができるという新たな課題を有する。
【００１１】
また、実物撮像装置の中には、監視カメラなど使用者から離れた位置で操作せざるをえないものもあり、実物撮像装置自身に表示部を設けてプロジェクタリストを表示させても、使用者がそれを見ることが困難という問題もあった。
【００１２】
本発明は上記従来の課題を解決するもので、実物撮像装置に表示部を設けることなく、簡単なボタンとＬＥＤの発光情報のみで所望の無線プロジェクタとの接続を確立する機能を備えた無線プロジェクタ対応周辺機器システムを提供することを目的とする。
【課題を解決するための手段】
【００１３】
本発明の請求項１に記載の発明は、表示部を有さない無線機能を搭載した実物撮像装置と、前記実物撮像装置により撮像された画像データを任意の無線ネットワーク網を介して拡大投射する無線プロジェクタとから構成されるシステムにおいて、
前記実物撮像装置は、
任意の対象物を撮像する撮像手段と、前記撮像手段により撮像された画像データを任意のフォーマットに圧縮する画像圧縮手段と、前記画像圧縮手段により圧縮された画像データを任意の無線ネットワーク網を介して前記無線プロジェクタに送信する第一の通信手段と、第一の通信手段に対し前記無線プロジェクタとの接続を確立するための制御を行う第一の制御手段とから構成され、
前記無線プロジェクタは、
前記実物撮像装置から任意の無線ネットワーク網を介して送信された画像データを受信する第二の通信手段と、第二の通信手段により受信された画像データを任意のフォーマットに伸張する画像伸張手段と、前記画像伸張手段から出力された画像データを拡大投射する表示手段と、前記実物撮像装置との接続を確立するために無線プロジェクタ固有のＳＳＩＤを有すると共に第二の通信手段を制御する第二の制御手段とから構成され、
前記第一の制御手段は、
所望の無線プロジェクタを検索する際に、検索ボタンを押されたことを検知した後に、任意の無線チャンネル内に前記無線プロジェクタ固有のＳＳＩＤを有する無線機器の検索を行い、所望の無線プロジェクタが存在した場合に前記第二の通信手段を介して前記第二の制御手段に問い合わせ、前記無線プロジェクタの使用状態を検出し、その検出結果を前記実物撮像装置に設けられたＬＥＤの発光色または発光数により使用者に知らしめることを特徴とする無線プロジェクタ対応周辺機器システムとしたものであり、実物撮像装置に表示部を設けなくても簡単な構成で所望の無線プロジェクタとの接続を確立可能とする作用を有する。
【００１４】
請求項２に記載の発明は、第一の制御手段は、検索された無線プロジェクタを他使用者が使用していた場合、同一チャンネル内に存在する他の無線プロジェクタを検索することを特徴とする請求項１記載の無線プロジェクタ対応周辺機器システムとしたものであり、実物撮像装置に表示部を設けなくても簡単な構成で所望の無線プロジェクタとの接続を確立可能とする作用を有する。
【００１５】
請求項３に記載の発明は、第一の制御手段は、検索されたチャンネル内に所望のプロジェクタが存在しない場合、他のチャンネルに切り替えて再度無線プロジェクタを検索することを特徴とする請求項１記載の無線プロジェクタ対応周辺機器システムとしたものであり、実物撮像装置に表示部を設けなくても簡単な構成で所望の無線プロジェクタとの接続を確立可能とする作用を有する。
【００１６】
請求項４に記載の発明は、第一の制御手段は、未使用状態の無線プロジェクタを検索しＬＥＤにてその状態を表示した後に、選択ボタンを使用者から押された事を検知した場合、所定の画像データを投射するための命令を前記無線プロジェクタに送信することを特徴とする請求項１から請求項３のいずれかに記載の無線プロジェクタ対応周辺機器システムとしたものであり、実物撮像装置に表示部を設けなくても簡単な構成で所望の無線プロジェクタとの接続を確立可能とする作用を有する。
【００１７】
請求項５に記載の発明は、第二の制御手段は、検索された無線プロジェクタを他使用者が使用中の場合、実物撮像装置から送信された所定の画像データを投射するための命令を受信しても、前記所定の画像データを投射しないことを特徴とする請求項４記載の無線プロジェクタ対応周辺機器システムとしたものであり、実物撮像装置が誤って所望の無線プロジェクタ以外の無線プロジェクタと接続した場合においても、その誤接続された無線プロジェクタは不要な画像データを投射不可能とする作用を有する。
【００１８】
請求項６に記載の発明は、第二の制御手段は、無線プロジェクタに任意のパスワードが設定されていた場合、第一の制御手段から接続要求を受信したときに、そのパスワード画面または文字入力のためのソフトウェアキーボード画面を前記無線プロジェクタから投射することを特徴とする請求項１から請求項５のいずれかに記載の無線プロジェクタ対応周辺機器システムとしたものであり、所望のプロジェクタに対しパスワードが予め設定されている場合においても、簡単な構成で所望の無線プロジェクタとの接続を確立可能とする作用を有する。
【００１９】
請求項７に記載の発明は、第一の制御手段は、無線プロジェクタの接続情報が格納された記憶媒体が実物撮像装置に挿入されていることを検出した場合、任意の無線プロジェクタを検索せずに、前記記憶媒体に格納された情報と合致した固有情報を有する無線プロジェクタのみを検索し、その検索結果を前記ＬＥＤの発光色または発光数にて表示することを特徴とする請求項１から請求項５のいずれかに記載の無線プロジェクタ対応周辺機器システムとしたものであり、記憶媒体の情報から所望の無線プロジェクタを検索する事により確実に接続を確立可能とする作用を有する。
【発明の効果】
【００２０】
以上のように本発明は、同一のＳＳＩＤを有する無線プロジェクタが複数台存在する場合において、簡単なボタン操作と直感的に状態が分かるＬＥＤの発光色または発光数情報のみで、容易に所望の無線プロジェクタを検索可能とする優れた効果が得られる。また、液晶パネルに代表される表示部を実物撮像装置に設ける必要が無くなるため、製品を安価に製造できると共に実物撮像装置のデザイン設計の自由度が大幅に広がるという優れた効果が得られる。
【発明を実施するための最良の形態】
【００２１】
以下、本発明の実施の形態について、図１から図９を用いて説明する。
【００２２】
（実施の形態１）
図１は本発明の実施の形態１における無線プロジェクタ対応周辺機器システムの構成図である。
【００２３】
図１において、１は、書画カメラに代表される実物撮像装置、２は、無線プロジェクタ、３は、実物撮像装置１と無線プロジェクタ２を接続する任意の無線ネットワーク網、４は、無線プロジェクタ２から拡大投射された映像を投影するスクリーンである。また、５０は、実物撮像装置１から所望の無線プロジェクタ２を検索するための検索ボタン、５１は、検索ボタン５０により検索された無線プロジェクタ２を選択する選択ボタン、６０は、発光ダイオード（以下、ＬＥＤと称する）である。ＬＥＤ６０は赤色と緑色を発光する２つのＬＥＤから構成されており、１つのパッケージとなっている。
【００２４】
図２は、実物撮像装置１及び無線プロジェクタ２の内部構成図である。
【００２５】
図２において、１１は、任意の対象物を撮像する撮像手段、１２は、撮像手段１１により撮像された画像データをＪＰＥＧやＭＰＥＧ方式に代表される任意のフォーマットに圧縮する画像圧縮手段、１３は、画像圧縮手段１２により圧縮された画像データを任意の無線ネットワーク網３を介して無線プロジェクタ２に送信する第一の通信手段、１４は、第一の通信手段１３に対して無線プロジェクタ２との接続を確立するために制御を行う第一の制御手段、２１は、実物撮像装置１から送信された画像データを受信する第二の通信手段、２２は、第二の通信手段２１で受信された画像データを任意のフォーマットに伸張する画像伸張手段、２３は、画像伸張手段２２により伸張された画像データをスクリーン４に対して拡大投射する表示手段、２４は、実物撮像装置１との接続を確立するために無線プロジェクタ２に固有のＳＳＩＤを有すると共に第二の通信手段２１を制御する第二の制御手段である。
【００２６】
以上のように構成された本実施の形態の無線プロジェクタ対応周辺機器システムについて、図３のフローチャートを用いてその動作を以下に説明する。
【００２７】
まず、実物撮像装置１で撮像された画像データを所望の無線プロジェクタ２に対し任意の無線ネットワーク網３を介して転送するために、使用者は、実物撮像装置１と無線プロジェクタ２との接続を確立する必要がある。
【００２８】
そこで、実物撮像装置１に備えられた検索ボタン５０を使用者が押す（ステップＳ１）。検索ボタン５０が押下された事を検知した第一の制御手段１４は、第一の通信手段１３に対し所定のＳＳＩＤを有する無線プロジェクタの検索を指示する。
【００２９】
現在、市販されている無線プロジェクタは、無線プロジェクタに接続するためのアプリケーションソフトを使用することにより、使用者が簡単に所望の無線プロジェクタとの接続を確立できるようになっているが、これは、無線プロジェクタ固有のＳＳＩＤを前記アプリケーションソフトに格納することにより、自社の無線プロジェクタのみを検索可能とする技術である。
【００３０】
このようにして、実物撮像装置１が同一のＳＳＩＤを有する無線プロジェクタが検出されるか否かを検索する（ステップＳ２）。
【００３１】
無線プロジェクタ検索の一例として、無線チャンネル毎に検索を行う手法がある。例えば、無線方式としてＩＥＥＥ８０２．１１ｂ規格に準拠し日本国内で使用の場合、チャンネル１からチャンネル１４までが割り当てられているため、実物撮像装置１は、まず、ステップＳ２でチャンネル１の範囲内で同一のＳＳＩＤを有する無線プロジェクタの検索を行う。勿論、検索時間を短縮するために無線プロジェクタがデフォルト値で有している無線チャンネルから検索を開始しても良い。
【００３２】
ステップＳ２において、同一のＳＳＩＤを有した無線プロジェクタが１台も検出されなかった場合、実物撮像装置１は次の無線チャンネルを検索する（ステップＳ３）。
【００３３】
ステップＳ３において、無線チャンネル数は有限であるため、全ての無線チャンネルを検出しても同一のＳＳＩＤを有した無線プロジェクタが１台も検出されない場合、そのまま接続不可表示（例えば、ＬＥＤ６０を赤色点灯）を行い、検索を中断しても良い。
【００３４】
ステップＳ２において、同一のＳＳＩＤを有した無線プロジェクタが検出された場合、実物撮像装置１は、検出された無線プロジェクタに対し、現在の無線プロジェクタの接続状態を問い合わせる。
【００３５】
ここで、複数台の無線プロジェクタが検出された場合、第一の制御手段１４は、例えば、検出された無線プロジェクタ名、或いはＭＡＣアドレス番号などの固有情報のＡＢＣ順で最も若いものを選択し、その無線プロジェクタに対して前述の問い合わせを行う。
【００３６】
一般的に、無線プロジェクタが有するＳＳＩＤは、メーカー毎に固有であり、且つ、無線プロジェクタは企業や教育機関に複数台で納品されることが多いため、このように同一のＳＳＩＤを有する無線プロジェクタが複数台同時に検出されることがよくある。
【００３７】
この問い合わせ情報を第二の通信手段２１を介して受信した第二の制御手段２４は、現在の無線プロジェクタの状態を応答する（ステップＳ４）。
【００３８】
応答される情報例としては、
１）ユーザ接続無し
２）他ユーザ接続中
３）無線ネットワーク以外の入力チャンネル（ＲＧＢケーブル入力等）で使用中
が挙げられる。これらの状態をＬＥＤ６０の発光色を変えて表示することにより（ステップＳ５）、使用者は簡単に検出された無線プロジェクタの状態を把握することが可能となる（ステップＳ６）。
【００３９】
ＬＥＤ６０としては、２色の発光ダイオードを１パッケージにした素子を搭載すると、上記３モードをそれぞれ異なる色で表示可能となる。
【００４０】
例えば、緑色と赤色を各々発光する発光ダイオードを１パッケージにした素子を使用した場合、
１）ユーザ接続無し・・・緑色
２）他ユーザ接続中・・・橙色（緑色と赤色を同時に発光）
３）無線ネットワーク以外の入力チャンネルで使用中・・・赤色
と３色で表示可能となる。ステップＳ６において、ＬＥＤ６０の発光色が緑色の場合、使用者はその検出された無線プロジェクタと接続が可能となる。
【００４１】
一方、ステップＳ６において、ＬＥＤ６０の発光色が緑色と異なる場合、使用者は、実物撮像装置１が他の無線プロジェクタと接続している、或いは所望の無線プロジェクタ２の設定状態が間違っている事を容易に把握可能となる。
【００４２】
無線プロジェクタ２の設定状態の確認は、ＬＥＤ６０の発光色を確認することにより、使用者は何を確認すれば良いのかを容易に把握可能となる。
【００４３】
例えば、
２）他ユーザ接続中・・・橙色
と表示された場合、所望の無線プロジェクタ２にパソコンなど他の機器が接続されたままになっていないかを確認すればよい。
【００４４】
また、
３）無線ネットワーク以外の入力チャンネルで使用中・・・赤色
と表示された場合、所望の無線プロジェクタ２の入力チャンネルがネットワーク（無線）入力に設定されていないかを確認すればよい。
【００４５】
これらの確認を行い、設定に問題がない場合は、他場所に設置されている無線プロジェクタと接続されていると判断されるため、使用者は再度検索ボタン５０を押下する（ステップＳ７）。その押下された信号を受信した第一の制御手段１４は、第一の通信手段１３に対して同一無線チャンネル内の他の無線プロジェクタの検索を行うように命令を出す（ステップＳ８）。
【００４６】
ステップＳ８において、他の無線プロジェクタの検索方法としては、前述したＡＢＣ順で次に若い番号を有した無線プロジェクタを選択する方法がある。
【００４７】
また、一度検出した無線プロジェクタを、確実に次回検出しないようにするため、第一の制御手段１４は、検出された無線プロジェクタの情報を一時的に記憶する手段を備えても良い。
【００４８】
ステップＳ６において、所望の無線プロジェクタ２が検出された場合、使用者は選択ボタン５１を押下し、無線プロジェクタ２との接続を確立する（ステップＳ９）。
【００４９】
選択ボタン５１が押下されたことを検知した第一の制御手段１４は、第一の通信手段１３を介して無線プロジェクタ２に対し、無線プロジェクタ情報表示画面４１をスクリーン４に対して投射するように命令する（ステップＳ１０）。
【００５０】
無線プロジェクタ情報表示画面４１としては、無線プロジェクタ２のプロジェクタ名、或いはＭＡＣアドレスやＩＰアドレス等の無線プロジェクタ２の固有情報を表示することが好ましい。
【００５１】
無線プロジェクタ情報表示画面４１の一例を図４の無線プロジェクタ対応周辺機器システムの構成図に示す。
【００５２】
ステップＳ１０において、ステップＳ５でＬＥＤ６０の発光色が、
橙色＝他ユーザ接続中
の場合、即ち実物撮像装置１は他の無線プロジェクタと接続の時に選択ボタン５１を使用者が誤って押下すると、無線プロジェクタ情報表示画面４１が他の無線プロジェクタから投射され、その無線プロジェクタを使用している人のプレゼンテーションを邪魔してしまうという課題を生じる。
【００５３】
そこで、ステップＳ１０において、ＬＥＤ６０の発光色が橙色、或いは赤色（無線ネットワーク以外の入力チャンネルで使用中）の時は、選択ボタン５１が押下されても、第一の制御手段１４は無視する、或いは無線プロジェクタに搭載された第二の制御手段２４は、無線プロジェクタから何らかの画像データがスクリーン４に対して投射されている状態では、無線プロジェクタ情報表示画面４１の表示命令を受信しても無視する事により、プレゼンテーション中に不意に無線プロジェクタ情報表示画面４１がスクリーン上に投射されないような工夫が必要となる。
【００５４】
ステップＳ１０により、無線プロジェクタ２から無線プロジェクタ情報表示画面４１が投射されていることを確認した使用者は、その無線プロジェクタ情報表示画面４１がスクリーン４上に表示されている期間に、選択ボタン５１を再度押下する（ステップＳ１１）。
【００５５】
この選択ボタン５１が押下されたことを検知した第一の制御手段１４は、無線プロジェクタ２に対し、実物撮像装置１で撮像された画像データを送信する（ステップＳ１２）。
ステップＳ１１において、再度選択ボタン５１の押下を使用者に要求するのは、誤接続を行った状態で、所望の無線プロジェクタ２以外の無線プロジェクタに対し不要な画像データを実物撮像装置１から転送させないためである。
【００５６】
例えば、ステップＳ５において、ＬＥＤ６０の発光色が緑色であったとしても、必ずしも所望の無線プロジェクタ２に実物撮像装置１が接続されていない場合がある。これは、他場所に設置された無線プロジェクタの電源が投入され、入力チャンネルがネットワーク（無線）入力で且つ誰も使用していない状態の時に存在する。
【００５７】
このような無線プロジェクタを検出した場合、ＬＥＤ６０は緑色表示となり、使用者は所望の無線プロジェクタ２に接続されているのか、或いは他場所に設置された未使用の無線プロジェクタに接続されているのかを判別出来ない。
【００５８】
そこで、判別方法として、ステップＳ１０の無線プロジェクタ情報表示画面４１がスクリーン４上に表示されるか否かを目視する方法があるが、使用者は早急に所望の無線プロジェクタ２に接続したいという焦りから、無線プロジェクタ情報表示画面４１を確認せずに選択ボタン５１を押下する可能性がある。
【００５９】
このような場合においても、無線プロジェクタ情報表示画面４１が表示されている期間のみしか選択ボタン５１が押下された事を第一の制御手段１４が受信しないようにすれば、使用者は確実にスクリーン４に投射されたプロジェクタ情報表示画面４１を見るため、誤接続の可能性が大幅に低減できる。
【００６０】
ステップＳ１１の効果をより有効にするためには、ステップＳ９で選択ボタン５１を押下された後から１秒から２秒後に初めて無線プロジェクタ情報表示画面４１がスクリーン４上に投射されることが望ましい。
【００６１】
選択ボタン５１を押下された直後に無線プロジェクタ情報表示画面４１を表示すると、使用者は何も見ずに選択ボタン５１を連打し、無線プロジェクタへの接続を行おうとするため、ステップＳ１１で狙った効果が十分に発揮できなくなる。
【００６２】
逆に、ステップＳ１０において、無線プロジェクタ情報表示画面４１が選択ボタン５１の押下後からしばらく経っても表示されない場合、使用者は他場所に設置された無線プロジェクタと接続されたものと勘違いをする可能性があるため、時間を空けすぎて無線プロジェクタ情報表示画面４１を表示する事も好ましくない。
【００６３】
また、ステップＳ１０において、無線プロジェクタ情報表示画面４１が表示され続ける時間は３秒から５秒程度にし、その表示期間中に選択ボタン５１が押下されない場合は、その無線プロジェクタ情報表示画面４１をスクリーン４上から消去することが好ましい。
【００６４】
これは、前述したように、他の場所に設置された現在未使用の無線プロジェクタが検索された場合が想定されるためである。
【００６５】
ステップＳ４において、実物撮像装置１が任意の無線プロジェクタを検索している状態を知らしめる手段の一例として、図５の無線プロジェクタ対応周辺機器システムの構成図に示すように、第一の制御手段１４に接続された検索状態ＬＥＤ６１を設け、その発光を明滅させることにより、使用者に検索状態を知らしめることが可能となる。
【００６６】
勿論、前述したＬＥＤ６０の発光を明滅させても同様の効果を得ることができる。使用者は、検索状態ＬＥＤ６１の明滅を見ることにより、実物撮像装置１が故障などでフリーズしているのか、正常に動作中なのかを容易に把握可能となり、心理的負担を軽減する効果を得る。
【００６７】
また、ステップＳ４において、無線プロジェクタを検索する際に、所望の無線プロジェクタ２と実物撮像装置１とは近くに配置されているケースが一般的である。
【００６８】
また、無線プロジェクタの検索範囲と無線プロジェクタを検索するための無線電波強度は一定の相関関係があり、無線電波強度が低いほど、無線プロジェクタの検索範囲が狭まる。
【００６９】
つまり、無線電波強度を下げると、現在使用者がいる場所から遠くに設置された無線プロジェクタを検索できなくなるため、検索時間が大幅に短縮可能となる。
【００７０】
即ち、ステップＳ４を実行する時のみ実物撮像装置１の無線電波強度を下げることにより、より素早く所望の無線プロジェクタ２の検索が可能となる。
【００７１】
また、所望の無線プロジェクタ２が検出された後に、ステップＳ４で下げた無線電波強度を元の値に戻すことが好ましい。
【００７２】
以上のように本実施の形態によれば、同一のＳＳＩＤを有する無線プロジェクタが複数台存在する場合において、簡単なボタン操作とＬＥＤの発光色情報のみで確実に所望の無線プロジェクタを検出することが可能となる。
【００７３】
また、所望の無線プロジェクタが検出された際に実物撮像装置に設けられた選択ボタンを押下することにより、無線プロジェクタ情報表示画面をスクリーンに投射可能とし、使用者は、その投射された画面を確認することで確実に所望の無線プロジェクタとの接続が確立可能となる。
【００７４】
更に、無線プロジェクタ情報表示画面がスクリーンに投射された状態で選択ボタンを押下することで、初めて実物撮像装置から撮像された画像データを無線プロジェクタに投射可能とする手段を設けることにより、より確実に所望の無線プロジェクタとの接続を確立させ、誤接続を防ぐことが可能となる。
【００７５】
また、実物撮像装置に表示部を設ける必要がないため、実物撮像装置を安価に製造可能とすると共に、デザイン設計の自由度が広がるという効果を更に得ることが可能となる。
【００７６】
（実施の形態２）
図６は、本発明の実施の形態２における無線プロジェクタ対応周辺機器システムの構成図である。
【００７７】
図６において、４２は、無線プロジェクタ２が有する固有のパスワード表示画面、４３は、無線プロジェクタ２から投射されたソフトウェアキーボード表示画面、５２は、操作ボタンである。尚、前述した実施の形態１と同じ構成については同一の符号を用い、説明を省略する。
【００７８】
以上のように構成された本実施の形態の無線プロジェクタ対応周辺機器システムについて、以下その動作を説明する。
【００７９】
セキュリティに対するユーザ意識の高まりの中、ネットワーク接続可能とする無線プロジェクタ２に対し、固有のパスワードを使用者が設定し、そのパスワードを入力しなければ、所望の無線プロジェクタと接続できない、或いは画像データが表示されないシステムが構築される場合がある。
【００８０】
このようなシステムに対応する場合、実物撮像装置１は無線プロジェクタ２から要求されたパスワードの入力が必要となるが、液晶パネルやキーボードを装備していない場合、前記パスワードの入力は困難である。
【００８１】
そこで、無線プロジェクタ２からパスワード表示画面４２及びソフトウェアキーボード表示画面４３を表示させる事により、使用者は、パスワード表示画面４２から無線プロジェクタ２が要求したパスワード情報を入手可能となり、また、ソフトウェアキーボード表示画面４３を見ながら操作ボタン５２を操作することにより任意の文字入力が可能となる。
【００８２】
操作ボタン５２の一例を図７に示す。図７に示すように、操作ボタン５２の構成としては、上下左右キー及び決定キーを備えることが望ましい。更に操作ボタン５２として、キャンセルキーを追加して備えても良い。
【００８３】
次に、パスワードの入力方法の一例を示す。使用者は、パスワード表示画面４２を見ることによりパスワードを認識し、操作ボタン５２を使用して入力する。
【００８４】
入力方法としては、ソフトウェアキーボード表示画面４３上に表示されたカーソルを上下左右キーで動かし、所望の文字にカーソルが合ったときに決定キーを押下することにより文字を確定する。この操作を文字の数だけ繰り返すことにより、所望のパスワードが入力可能となる。
【００８５】
このパスワード表示画面４２やソフトウェアキーボード表示画面４３の投射は、ステップＳ１０或いはステップＳ１１で選択ボタン５１が押下された後に表示されることが望ましい。これは、実物撮像装置１に搭載された操作ボタン５２の上下左右キーから無線プロジェクタ２から投射されたソフトウェアキーボード表示画面４３上に表示されたカーソルを操作するには、一旦、無線接続を確立しておく必要があるためである。ステップＳ６のように無線検索で検出されたのみでは無線接続が確立されていないため、このようなカーソルの制御を行うことができない。
【００８６】
以上のように本実施の形態によれば、無線プロジェクタからパスワード表示画面及びソフトウェアキーボード表示画面を投射させる手段を有することにより、無線プロジェクタに何らかのパスワードが設定されていた場合においても、実物撮像装置は、簡単なボタン操作とＬＥＤの発光色情報のみで所望の無線プロジェクタとの接続を確立することが可能となる。
【００８７】
また、実物撮像装置に表示部を設ける必要がないため、実物撮像装置を安価に製造可能とすると共に、デザイン設計の自由度が広がるという効果を更に得ることが可能となる。
【００８８】
（実施の形態３）
図８は本発明の実施の形態２における無線プロジェクタ対応周辺機器システムの構成図である。
【００８９】
図８において、７は、ＳＤカードやＵＳＢメモリに代表される記憶媒体である。尚、前述した実施の形態と同じ構成については同一の符号を用い、説明を省略する。
【００９０】
以上のように構成された本実施の形態の無線プロジェクタ対応周辺機器システムについて、以下その動作を図９のフローチャートを用いて説明する。
【００９１】
企業や教育現場において、同一メーカーの無線プロジェクタが複数存在するケースが一般的であるため、同一のＳＳＩＤを有した無線プロジェクタが複数台検出されることは珍しくない。しかしながら、使用者の立場で見た場合、使用する無線プロジェクタが特定されている事が多い。
【００９２】
このように使用する無線プロジェクタが常に特定されている場合、ステップＳ２のような無線プロジェクタの検索時間が非常に無駄である。そこで、本実施の形態では、上記課題を解決し、所望の無線プロジェクタ２との接続に要する時間を短縮する方法について説明を行う。
【００９３】
第一の制御手段１４は、所望の無線プロジェクタ２の接続情報が格納された記憶媒体７が実物撮像装置１に挿入されているか否かの検出を行う（ステップＳ１３）。
【００９４】
ここで、記憶媒体７に格納されるべき情報としては、使用者が接続を所望する無線プロジェクタのＳＳＩＤやプロジェクタ名、ＭＡＣアドレス、ＩＰアドレス、パスワード、ＷＥＰキーなどの無線接続を確立するために必要な情報を全て備えておく必要がある。
【００９５】
これらの情報を格納した記憶媒体７を使用者は事前に用意する必要があるが、ＩＴ知識に精通していない使用者には相当困難な作業である。
【００９６】
そこで、前記情報の格納の方法としては、所望の無線プロジェクタ２と無線機能を搭載したパソコンとを無線ＬＡＮを介して接続し、その接続情報を任意のアプリケーションから自動的に記憶媒体７に格納する方法や、一度、図３に示したステップで所望の無線プロジェクタ２と実物撮像装置１とを無線ＬＡＮを介して接続させ、その際に、任意の操作により実物撮像装置１に挿入された記憶媒体７に接続情報を書き込む手段などがある。
【００９７】
ここで、パスワードやＷＥＰキーといった秘匿性のあるデータについては、記憶媒体７をパソコンに挿入したときに容易に見えないようにする工夫が必要である。例えば、ウィンドウズ（登録商標）ＯＳからは全く見えない隠しファイルにする方法や、これらの秘匿情報を格納する際は、ＡＥＳ等で更に暗号化をかけるといった方法が想定できる。
【００９８】
これらの方法を使用することで、ＩＴ知識に精通していない使用者でも簡単に記憶媒体７に必要十分な接続情報を格納することが可能となる。
【００９９】
ステップＳ１３において、記憶媒体７が実物撮像装置１に挿入されていない、或いは挿入されているが格納されている接続情報のフォーマットが異なる場合は、所望の無線プロジェクタ２に対する接続情報が無いと判断し、ステップＳ２へ移行し、以後、図３のフローチャートをたどる。
【０１００】
一方、ステップＳ１３において、所望の無線プロジェクタ２の接続情報が格納された記憶媒体７が実物撮像装置１に挿入されている場合、実物撮像装置１は、その接続情報に従い、所望の無線プロジェクタ２を検索する（ステップＳ１４）。
【０１０１】
ステップＳ１４において、所望の無線プロジェクタ２が検出されなかった場合、その検出結果をＬＥＤ６０の発光色にて表示し、無線プロジェクタの検出を止める（ステップＳ１５）。
【０１０２】
ステップＳ１５において、他の無線プロジェクタの検索を行わないのは、記憶媒体７に格納された所望の無線プロジェクタ２以外の無線プロジェクタとの接続を確立すると使用者が混乱を起こすためである。
【０１０３】
勿論、記憶媒体７に格納された所望の無線プロジェクタ２が検出されなかった場合に、ステップＳ２へ移行して他の無線プロジェクタを検索しても良いが、その場合は、上記課題が潜んでいる。
【０１０４】
ステップＳ１４において、所望の無線プロジェクタ２が検出された場合、第一の制御手段１４は、第一の通信手段１３を介して検出された無線プロジェクタ２の状態検出を行い（ステップＳ１６）、その検出した状態をＬＥＤ６０の発光色で表示する（ステップＳ１７）。
【０１０５】
使用者は、そのＬＥＤ６０の発光色を見て、使用可能か否かの判断を行う（ステップＳ１８）。
【０１０６】
他ユーザが使用、或いは無線プロジェクタ２の入力チャンネルが異なるなどにより使用不可の場合においても、実施の形態１に例として示したように、ＬＥＤ６０の発光色を確認する事により、使用者は使用不可の原因を容易に把握することが出来る。
【０１０７】
ステップＳ１８において、所望の無線プロジェクタ２が使用可となった場合、使用者が選択ボタンを押下すると（ステップＳ１９）、無線プロジェクタ２から無線プロジェクタ情報表示画面４１が投射され（ステップＳ２０）、その無線プロジェクタ情報表示画面４１が投射されている期間に再度選択ボタン５１を押下する（ステップＳ２１）事により、所望の無線プロジェクタ２から実物撮像装置１で撮像された任意の画像データが送信され（ステップＳ２２)、投射可能となる。
【０１０８】
以上のように本実施の形態によれば、所望の無線プロジェクタの接続情報が格納された記憶媒体を実物撮像装置１に挿入し、その記憶媒体に格納された接続情報をもとに無線プロジェクタを検索する手段を備えることにより、使用者は所望の無線プロジェクタを検索する時間を大幅に短縮できるという効果を得る。
【０１０９】
また、接続情報に、無線プロジェクタに対し接続するためのパスワードやＷＥＰキーを加えることにより、使用者がいちいち手入力する作業を無くし、素早く所望の無線プロジェクタと接続を可能とする効果を得る。
【０１１０】
なお、上記各実施の形態において、実物撮像装置に設けるＬＥＤによる無線プロジェクタの状態表示を、ＬＥＤの発光色により判別するようにしたが、これを、ＬＥＤを複数設け、その発光個数により判別するようにしてもよい。
【０１１１】
また、１つのＬＥＤの所定時間内の発光回数によって判別するようにしてもよい。
【０１１２】
また、本発明は発光体としてＬＥＤを用いたが、これに限定されるものではなく、例えば、レーザーダイオードやＥＬ（ｅｌｅｃｔｒｏｌｕｍｉｎｅｓｃｅｎｃｅ）等、発光素子であれば何でもよいことは言うまでもない。
【０１１３】
また、ボタンの押下時間、間隔等により、機能を変えるようにすれば、検索ボタンと選択ボタンを１つのボタンで構成することもできる。
【０１１４】
また、検索ボタンや選択ボタンを実物撮像装置に設けるようにしたが、これを、ケーブルで接続したり、またはリモコン等に設けることにより、遠隔操作するようにしてもよい。
【０１１５】
こうすれば、監視カメラなど使用者から離れた位置にある実物撮像装置であっても、無線プロジェクタの状態表示を確認、および選択操作することができる。
【産業上の利用可能性】
【０１１６】
本発明にかかる無線プロジェクタ対応周辺機器システムは、同一のＳＳＩＤを有する無線プロジェクタが多数存在する場合において、簡単なボタン操作と直感的に状態が分かるＬＥＤの発光情報のみで、容易に所望の無線プロジェクタを検索できるという優れた効果を有し、徐々に普及が始まっている無線プロジェクタに無線ＬＡＮを用いて接続する周辺機器システムとして有用である。
【図面の簡単な説明】
【０１１７】
【図１】本発明の実施の形態１における無線プロジェクタ対応周辺機器システムの構成図
【図２】同実施の形態１における無線プロジェクタ対応周辺機器システムの内部構成図
【図３】同実施の形態１における無線プロジェクタ対応周辺機器システムの動作を示すフローチャート
【図４】同実施の形態１における無線プロジェクタ対応周辺機器システムの他の例を示す構成図
【図５】同実施の形態１における無線プロジェクタ対応周辺機器システムの他の例を示す構成図
【図６】本発明の実施の形態２における無線プロジェクタ対応周辺機器システムの構成図
【図７】同実施の形態２における操作ボタンの一例図
【図８】本発明の実施の形態３における無線プロジェクタ対応周辺機器システムの内部構成図
【図９】同実施の形態３における無線プロジェクタ対応周辺機器システムの動作を示すフローチャート
【図１０】従来の無線プロジェクタ対応周辺機器システムの構成図
【符号の説明】
【０１１８】
１  実物撮像装置
２  無線プロジェクタ
３  任意の無線ネットワーク網
４  スクリーン
７  記憶媒体
１１  撮像手段
１２  画像圧縮手段
１３、２１  通信手段
１４、２４  制御手段
２２  画像伸張手段
２３  表示手段
４１  プロジェクタ情報表示画面
４２  パスワード表示画面
４３  ソフトウェアキーボード表示画面
５０  検索ボタン
５１  選択ボタン
６０、６１  ＬＥＤ
【図１】
2008271265.tif 000003
【図２】
2008271265.tif 000004
【図３】
2008271265.tif 000005
【図４】
2008271265.tif 000006
【図５】
2008271265.tif 000007
【図６】
2008271265.tif 000008
【図７】
2008271265.tif 000009
【図８】
2008271265.tif 000010
【図９】
2008271265.tif 000011
【図１０】
2008271265.tif 000012